(57)【要約】【課題】  包装用袋の開口側の対向する端部を容易に手指で摘むことができるようにした咬合具およびこの咬合具を取り付けた包装用袋を提供することにある。【解決手段】  帯状の基部と該基部に平行に突設された雄型咬合部を備える雄型部材と帯状の基部と該基部に平行に突設され、前記雄型咬合部と咬合する雌型咬合部を備える雌型部材とからなる合成樹脂製の咬合具であって、前記雄型部材ないし前記雌型部材の前記基部の前記雄型咬合部ないし前記雌型咬合部と同一面に前記雄型咬合部ないし前記雌型咬合部に平行に、かつ、前記雄型咬合部ないし前記雌型咬合部の突出高さより高く突出した板状突出部を備えていることを特徴とする咬合具。【選択図】        図１
2006081743.tif 000002
【特許請求の範囲】
【請求項１】
帯状の基部と該基部に平行に突設された雄型咬合部を備える雄型部材と帯状の基部と該基部に平行に突設され、前記雄型咬合部と咬合する雌型咬合部を備える雌型部材とからなる合成樹脂製の咬合具であって、前記雄型部材ないし前記雌型部材の前記基部の前記雄型咬合部ないし前記雌型咬合部と同一面に前記雄型咬合部ないし前記雌型咬合部に平行に、かつ、前記雄型咬合部ないし前記雌型咬合部の突出高さより高く突出した板状突出部を備えていることを特徴とする咬合具。
【請求項２】
前記板状突出部の高さが前記雄型咬合部ないし前記雌型咬合部の突出高さの３〜１０倍であることを特徴とする請求項１記載の咬合具。
【請求項３】
前記板状突出部が前記雄型咬合部ないし前記雌型咬合部に対して乖離する方向に傾斜していることを特徴とする請求項１、２のいずれかに記載の咬合具。
【請求項４】
前記板状突出部の前記雄型咬合部ないし前記雌型咬合部に対して乖離する方向に傾斜している咬合具側の前記基部に対する角度が９０度超〜１５０度であることを特徴とする請求項３記載の咬合具。
【請求項５】
請求項１〜４のいずれかに記載の咬合具が前記基部で内面に熱融着された咬合具付き包装用袋であって、前記咬合具に設けられた前記板状突出部が開口予定部側に位置するように前記咬合具が設けられていることを特徴とする咬合具付き包装用袋。
【発明の詳細な説明】
【技術分野】
【０００１】
本発明は、咬合具およびこれを用いた再封緘機能を有する咬合具付き包装袋に関するものである。
【背景技術】
【０００２】
従来から、再封緘することができる包装用袋としては、開口部に雄型部材と雌型部材とからなる互いに咬み合う合成樹脂製の咬合具を内面に取り付けたものが広く用いられている。前記雄型部材は帯状の基部と該基部に平行に突設された雄型咬合部を備え、前記雌型部材は帯状の基部と該基部に突設され、前記雄型咬合部と咬合する雌型咬合部とを備え、包装袋の開口部側の対向する内面にそれぞれの前記基部で熱接着されて取り付けられ、前記雄型咬合部と前記雌型咬合部を咬合させることにより封緘され、咬合を外すことにより開口されて内容物を取り出すことができるようになっているが、咬合具の咬合を外す際には、通常、咬合具が取り付けられた包装用袋の開口側の対向する端部を手指で摘んで、前記端部を互いに引き離す方向に引っ張ることにより咬合を外してした。
【０００３】
ところで、包装用袋の開口側の対向する前記端部は、通常、手指で摘む摘み代として咬合具を取り付けた際の咬合位置から１０〜１５ｍｍ程度の長さに構成されるために、対向する端部を手指で摘んで咬合を外す際に、手指で摘み難く、咬合を外し難いという問題があり、これを解決する提案がなされている（たとえば、特許文献１参照）。この特許文献１に記載された発明は、咬合具の基部の咬合部側の面にリブを設け、包装用袋の開口側の対向する前記端部を摘んだ際に、このリブに手指が引っ掛かるようにして容易に咬合具の咬合を外すことができるようにしたものであり、咬合を小さな力で外すことができるという面では効果のあるものである。
【０００４】
しかしながら、包装用袋の開口側の対向する端部は、手指で摘む摘み代として上記したように咬合具を取り付けた際の咬合位置から１０〜１５ｍｍ程度の長さに構成されると共に咬合具の両端は熱接着され、さらに咬合具を挟んで内容物の収納された側が内容物で膨らむことなどから、包装用袋の開口側の対向する前記端部同士が近接した状態となり、対向する前記端部を左右の手指で摘むこと自体に困難性があった。
【特許文献１】特開２００２−３６０３１３号公報
【発明の開示】
【発明が解決しようとする課題】
【０００５】
そこで、本発明は、上記問題を解決するためになしたものであって、その目的とするところは、包装用袋の開口側の対向する端部を容易に手指で摘むことができるようにした咬合具およびこの咬合具を取り付けた包装用袋を提供することにある。
【課題を解決するための手段】
【０００６】
本発明者は、上記目的を達成するために、請求項１記載の本発明は、帯状の基部と該基部に平行に突設された雄型咬合部を備える雄型部材と帯状の基部と該基部に平行に突設され、前記雄型咬合部と咬合する雌型咬合部を備える雌型部材とからなる合成樹脂製の咬合具であって、前記雄型部材ないし前記雌型部材の前記基部の前記雄型咬合部ないし前記雌型咬合部と同一面に前記雄型咬合部ないし前記雌型咬合部に平行に、かつ、前記雄型咬合部ないし前記雌型咬合部の突出高さより高く突出した板状突出部を備えていることを特徴とするものである。このように構成することにより、雄型部材ないし雌型部材の基部に設けられた板状突出部が、前記雌型部材ないし前記雄型部材の前記基部を押圧するために、前記板状突出部を設けた側の前記雄型部材ないし前記雌型部材と前記雌型部材ないし前記雄型部材の前記基部間が常に拡開された咬合具とすることができる。
【０００７】
また、請求項２記載の本発明は、請求項１記載の咬合具において、前記板状突出部の高さが前記雄型咬合部ないし前記雌型咬合部の突出高さの３〜１０倍であることを特徴とするものである。このように構成することにより、前記板状突出部を設けた側の前記雄型部材ないし前記雌型部材と前記雌型部材ないし前記雄型部材の前記基部間が常に拡開されている咬合具とすることができる。なお、３倍未満では十分な拡開幅が得られず、１０倍超では咬合具を後述する包装材の内層に咬合具の基部で熱接着する際に、前記板状突出部が折れたりあるいは熱板に噛み込む虞がある。
【０００８】
また、請求項３記載の本発明は、請求項１、２のいずれかに記載の咬合具において、前記板状突出部が前記雄型咬合部ないし前記雌型咬合部に対して乖離する方向に傾斜していることを特徴とするものである。
【０００９】
また、請求項４記載の本発明は、請求項３記載の咬合具において、前記板状突出部の前記雄型咬合部ないし前記雌型咬合部に対して乖離する方向に傾斜している咬合具側の前記基部に対する角度が９０度超〜１５０度であることを特徴とするものである。
【００１０】
請求項３、４のいずれかに記載の構成とすることにより、前記板状突出部の弾性による反発力により、前記板状突出部を設けた側の前記雄型部材と前記雌型部材の前記基部間が常に確実に拡開された咬合具とすることができる。
【００１１】
まら、請求項５記載の本発明は、請求項１〜４のいずれかに記載の咬合具が前記基部で内面に熱融着された咬合具付き包装用袋であって、前記咬合具に設けられた前記板状突出部が開口予定部側に位置するように前記咬合具が設けられていることを特徴とするものである。このように構成することにより、常に開口側の対向する端部が拡開した状態に維持されるために、手指で端部を摘み易い咬合部付き包装用袋とすることができる。
【発明の効果】
【００１２】
本発明の咬合具は、前記板状突出部を設けた側の前記雄型部材ないし前記雌型部材と前記雌型部材ないし前記雄型部材の前記基部間が常に拡開された状態を維持することができるという効果を奏し、本発明の咬合具を取り付けた咬合具付き包装用袋は、開口側の対向する端部が常に拡開した状態を維持するために、咬合具の咬合を外す際に前記端部を手指で摘み易いという効果を奏するものである。
【発明を実施するための最良の形態】
【００１３】
上記の本発明について、図面等を用いて以下に詳しく説明する。
図１は本発明にかかる咬合具の一実施例を図解的に示す断面図、図２は本発明の咬合具を取り付けた包装用袋の一実施例を図解的に説明する平面図、図３は図２のＸ−Ｘ線の拡大断面を図解的に示す図、図４は本発明の咬合具を取り付けた包装用袋の開封後の状態を図解的に示す図３に対応する図であり、図中の１は咬合具、２は雄型部材、３は雌型部材、４は包装材、１０は包装用袋、１１は周縁熱接着部、１２は開封手段、２１，３１は基部、２２は雄型咬合部、３２は雌型咬合部、３３は板状突出部、４１は内層、４２は基材層、Ｔは開口側の包装用袋の端部をそれぞれ示す。
【００１４】
図１は本発明にかかる咬合具の一実施例を図解的に示す断面図であって、咬合具１は図１上において紙面の表裏方向に連続した成形品である。咬合具１は帯状の基部２１と該基部２１に平行に突設された雄型咬合部２２を備える雄型部材２と帯状の基部３１と該基部３１に平行に突設され、前記雄型咬合部２２と咬合する雌型咬合部３２を備える雌型部材３とからなる合成樹脂製であって、前記雌型部材３の前記基部３１の前記雌型咬合部３２と同一面に前記雌型咬合部３２に平行に、かつ、前記雌咬合部３２の突出高さ（ｈ１）より突出高さ（ｈ２）が高い板状突出部３３を備えているものである。
【００１５】
前記板状突出部３３の前記基部３１からの突出高さ（ｈ２）は前記雌型咬合部３２の突出高さ（ｈ１）の３〜１０倍、好ましくは４〜７倍である。この理由としては、上記したように３倍未満では十分な拡開幅が得られず、１０倍超では後述する包装材の内層に咬合具の基部で熱接着する際に、前記板状突出部が折れたりあるいは熱板に噛み込む虞があるからである。なお、通常、前記雌型咬合部３２の前記基部３１からの突出高さ（ｈ１）は、１．０〜２．０ｍｍであり、前記雄型咬合部２２の前記基部２１からの突出高さも略同じである。また、図１において、前記板状突出部３３を前記雌型咬合部３２に対して乖離する方向に符号αで示す傾斜角で傾斜したものを示したが、前記板状突出部３３は前記基部３１に対して垂直に設けてもよいものである。しかしながら、前記咬合具１の前記雄型部材２と前記雌型部材３とは、通常、製袋工程において包装用袋の内面に前記雄型部材２と前記雌型部材３の前記基部２１、３１で熱接着されて設けられるものであり、前記板状突出部３３を垂直に設けた場合には、製袋時に前記板状突出部３３が前記雌型咬合部３２側に傾斜して前記板状突出部３３を断面櫛状の熱板（前記雌型咬合部３２と前記板状突出部３３の部分を凹状とした熱板）で潰してしまう虞があり、より好ましくは、前記板状突出部３３が上記したように傾斜しているものがよい。また、この場合には、前記板状突出部３３を垂直に設ける場合に比べて前記板状突出部３３の弾性を活かせるという利点もある。そして、前記板状突出部３３の傾斜角度（前記雌型咬合部３２側の前記基部３１に対する角度）αは、９０度超〜１５０度、好ましくは９０度超〜１２０度である。傾斜角度αが９０度以下では上記した問題が発生する虞があり、１５０度超では、弾性により反発力が弱いと共に前記板状突出部３３の長さを長くする必要があり、それだけ咬合具がコスト高となり、また、咬合具１の幅（図１上の左右方向の幅）が広くなり、見栄えが悪くなると共に包装用袋も大きくする必要があり、包装用袋のコストも高くなる。
【００１６】
前記咬合具１の製造方法としては、金型を用いる周知の押出し成形法により製造され、これに用いる合成樹脂としては、たとえば、低密度ポリエチレン、中密度ポリエチレン、高密度ポリエチレン、直鎖状（線状）低密度ポリエチレン、ポリプロピレン、エチレン−αオレフィン共重合体、エチレン−プロピレン共重合体、エチレン−酢酸ビニル共重合体、アイオノマー樹脂、エチレン−アクリル酸共重合体、エチレン−アクリル酸メチル共重合体、エチレン−メタクリル酸共重合体等の樹脂の一種ないしそれ以上からなる樹脂で成形したものを用いることができる。
【００１７】
図２は本発明の咬合具を取り付けた包装用袋の一実施例を図解的に説明する平面図、図３は図２のＸ−Ｘ線の拡大断面を図解的に示す図であって、包装用袋１０は熱接着性樹脂からなる内層４１と基材層４２とを積層した包装材４を用い、４つの周縁を周縁熱接着部１１で密封した四方シールタイプの袋であり、該袋上部の前記周縁熱接着部１１の外縁の対向する位置に開封手段（図２上、Ｖ字状ノッチ）１２が設けられている。また、前記包装用袋１０の上部（図２上）の対向する内面の内層４１に雄型部材２と雌型部材３とがそれぞれの前記基部２１、３１で熱接着され、雄型咬合部２２と雌型咬合部３２とを咬合させた状態の咬合具１が図２上の左右の対向する前記周縁熱接着部１１の外縁から外縁まで設けられている。なお、図示はしないが図２、３において、前記包装用袋１０内には、内容物が収納されている。図２の状態において、前記板状突出部３３は、その弾性により撓んだ状態で前記咬合具１の前記雄型部材２と前記雌型部材３の前記基部２１と前記基部３１の間に収まっている。
【００１８】
上記のように構成された図２に示す包装用袋１０において、前記包装用袋１０内に収納された内容物を取り出すために、前記包装用袋１０に設けられた開封手段（図２上、Ｖ字状ノッチ）１２から開封すると、前記咬合具１の前記雄型部材２と前記雌型部材３の前記基部２１と前記基部３１の間に撓んだ状態で収まっていた前記板状突出部３３が解き放たれ、図４に示すように開封した開口の対向する端部Ｔを常に拡開した状態に維持するために、咬合具の咬合を外す際に前記端部Ｔを手指で摘み易いものとすることができる。
【００１９】
次に、本発明の咬合具付き包装用袋に用いる包装材について説明する。
まず、前記包装材４の内層４１を構成する材料としては、前記咬合具１と相互に溶融し融着する熱接着性樹脂であれば特に限定するものではなく、包装用袋１０に要求される物性により適宜選択して用いればよく、たとえば、低密度ポリエチレン、中密度ポリエチレン、高密度ポリエチレン、直鎖状（線状）低密度ポリエチレン、ポリプロピレン、エチレン−αオレフィン共重合体、エチレン−プロピレン共重合体、エチレン−酢酸ビニル共重合体、アイオノマー樹脂、エチレン−アクリル酸共重合体、エチレン−アクリル酸メチル共重合体、エチレン−メタクリル酸共重合体等の樹脂の一種ないしそれ以上からなる樹脂で成形したものを用いることができる。
【００２０】
次に、前記包装材４の基材層４２を構成する材料としては、機械的、物理的、化学的等において優れた性質を有する合成樹脂製フィルムを用いることができ、たとえば、ポリエステル系、ポリアミド系、ポリプロピレン系、ポリアセタール系等の樹脂からなるフィルムを用いることができ、未延伸フィルム、あるいは、一軸方向ないし二軸方向に延伸した延伸フィルム等のいずれのものでも使用することができ、フィルムの厚さとしては基材としての強度、剛性などについて必要最低限に保持され得る厚さであればよく、コストなどを勘案して決めればよい。また、前記基材層４２は、通常、前記内層４１側に印刷が施されることが多く、印刷適性が求められるために、一軸方向ないし二軸方向に延伸した延伸フィルムが好適である。また、前記基材層４２としては、セロハンを用いることもできる。
【００２１】
また、前記包装材４には、酸素や水蒸気等のガスバリアー性、および／ないし、遮光性を付与するために前記内層４１と前記基材層４２との間に必要に応じて中間層を設けてもよいものである。この中間層を構成する材料としては、たとえば、アルミニウム、鉄、銅、錫等の金属箔、あるいは、ポリビニルアルコール、エチレン−酢酸ビニル共重合体ケン化物、ポリ塩化ビニリデン等のフィルム、あるいは、ポリエステル、ポリアミド、ポリエチレン，ポリプロピレン，エチレン−プロピレン共重合体等のポリオレフィン、ポリビニルアルコール等のフィルムにポリ塩化ビニリデンを塗工したフィルムないしはアルミニウム、酸化珪素、酸化アルミニウム、酸化インジウム、酸化錫、酸化ジルコニウム等の無機物の蒸着を施したフィルムなどを用いることができる。また、前記中間層は、上記したガスバリアー性、および／ないし、遮光性を付与するのみならず、たとえば、機械的強靭性、耐屈曲性、耐突き刺し性、耐衝撃性、耐寒性、耐熱性、耐薬品性等の機能を付与することができ、上記したガスバリアー性、および／ないし、遮光性を付与する材料と、たとえば、ポリエステル、ポリアミド、ポリエチレン，ポリプロピレン，エチレン−プロピレン共重合体等のポリオレフィン等のフィルムと組合わせて用いても構わない。
【００２２】
また、、前記基材層４２を上記したフィルムにポリ塩化ビニリデンを塗工したものや酸化珪素、酸化アルミニウム、酸化インジウム、酸化錫、酸化ジルコニウム等の無機物の蒸着層を形成したものを用いてもよいものである。
【００２３】
また、前記包装材４の各層を積層する方法としては、サンドイッチラミネーション法、ドライラミネーション法等の周知の積層方法を用いることができ、また、前記内層４１としてはフィルム化したものを前記積層方法で積層してもよいし、Ｔダイ押出法で上記した樹脂を加熱溶融押出しして設けてもよいものである。
【００２４】
なお、今までは、咬合具に設ける板状突出部を雌型部材に設けた実施例で説明してきたが、雄型部材に設けたものとしてもよいものである。また、咬合具付き包装用袋１０として四方シールタイプの袋で説明してきたが、本発明の咬合具付き包装用袋はこれに限るものではなく、従来から用いられているこの種の咬合具を取り付け周知の包装用袋に適用することができるものであり、たとえば、三方シールタイプ、ピロータイプ等に代表される平袋、あるいは、ガセットタイプやスタンディングタイプ等の自立性袋を挙げることができる。また、本発明の咬合具およびこれを取り付けた包装用袋は、本発明の趣旨を逸脱しない範疇のものはすべて本発明に含まれる。
【図面の簡単な説明】
【００２５】
【図１】本発明にかかる咬合具の一実施例を図解的に示す断面図である。
【図２】本発明の咬合具を取り付けた包装用袋の一実施例を図解的に説明する平面図である。
【図３】図２のＸ−Ｘ線の拡大断面を図解的に示す図である。
【図４】本発明の咬合具を取り付けた包装用袋の開封後の状態を図解的に示す図３に対応する図である。
【符号の説明】
【００２６】
１                                咬合具
２                                雄型部材
３                                雌型部材
４                                包装材
１０                              包装用袋
１１                              周縁熱接着部
１２                              開封手段
２１，３１                        基部
２２                              雄型咬合部
３２                              雌型咬合部
３３                              板状突出部
４１                              内層
４２                              基材層
Ｔ                                開口側の包装用袋の端部
【図１】
2006081743.tif 000003
【図２】
2006081743.tif 000004
【図３】
2006081743.tif 000005
【図４】
2006081743.tif 000006